(57)【要約】      （修正有）【課題】無線通信システムにおいて肯定応答メッセージを送信するための方法を提供する。【解決手段】送信機から第２の信号４５０が受信される前に第１の信号４４８が受信される。復号された第１のデータ４５８が前記第１の信号から抽出される。前記復号された第１のデータを符号化及び変調することによって第３の信号４７６が生成される。前記第２の信号が復調されて第２のシンボル４８０が生成される。前記第３の信号及び第２のシンボルが相関される。前記復号された第１のデータがデータ検査に合格した場合は肯定応答メッセージを送信機に送信する。前記相関が予め定義されたスレショルドを上回る場合に肯定応答メッセージを送信機に再送信する。【選択図】図４
2014131302.tif 000002
【特許請求の範囲】
【請求項１】
無線通信システムにおいて肯定応答メッセージを送信するための方法であって、
送信機から第２の信号を受信する前に第１の信号を受信することと、
復号された第１のデータを前記第１の信号から抽出することと、
前記復号された第１のデータを符号化及び変調することによって第３の信号を生成することと、
前記第２の信号を復調して第２のシンボルを生成することと、
前記第３の信号を前記第２のシンボルと相関させること、とを備える、無線通信システムにおいて肯定応答メッセージを送信するための方法。
【請求項２】
前記復号された第１のデータがデータ検査に合格した場合は肯定応答メッセージを前記送信機に送信することをさらに備える請求項１に記載の方法。
【請求項３】
前記相関が予め定義されたスレショルドを上回るかどうかを決定することをさらに備える請求項２に記載の方法。
【請求項４】
前記相関が前記予め定義されたスレショルドを上回る場合は前記肯定応答メッセージを前送信機に再送信することをさらに備える請求項３に記載の方法。
【請求項５】
前記相関が前記予め定義されたスレショルドを上回らない場合は、
前記第２のシンボルを復号することと、
前記復号された第２のシンボルに対するデータ検査を行うことと、
前記復号された第２のシンボルが前記データ検査に合格した場合は第２の肯定応答メッセージを前記送信機に送信することと、
前記復号された第２のシンボルが前記データ検査に合格しない場合は否定応答メッセージを送信すること、とをさらに備える請求項３に記載の方法。
【請求項６】
前記抽出することは、前記第１の信号を復調することと復号することとを備える請求項１に記載の方法。
【請求項７】
前記生成することは、前記復号された第１のデータをスクランブリングすることをさらに備える請求項１に記載の方法。
【請求項８】
前記相関させることは、前記第３の信号の少なくとも一部を前記第２のシンボルの少なくとも一部と比較することを備える請求項１に記載の方法。
【請求項９】
前記送信機は、アクセスポイントを備える請求項１に記載の方法。
【請求項１０】
前記送信機は、アクセス端末を備える請求項１に記載の方法。
【請求項１１】
無線通信システムにおいて肯定応答メッセージを送信するための無線デバイスであって、
プロセッサと、
前記プロセッサと電子的に通信するメモリと、
前記メモリに格納された命令と、を備え、前記命令は、
送信機から第２の信号を受信する前に第１の信号を受信する、
復号された第１のデータを前記第１の信号から抽出する、
前記復号された第１のデータを符号化及び変調することによって第３の信号を生成する、
前記第２の信号を復調して第２のシンボルを生成する、及び
前記第３の信号を前記第２のシンボルと相関させる
ように前記プロセッサによって実行可能である、無線通信システムにおいて肯定応答メッセージを送信するための無線デバイス
【請求項１２】
前記復号された第１のデータがデータ検査に合格した場合は肯定応答メッセージを前記送信機に送信するために実行可能な命令をさらに備える請求項１１に記載の無線デバイス。
【請求項１３】
前記相関が予め定義されたスレショルドを上回るかどうかを決定するために実行可能な命令をさらに備える請求項１２に記載の無線デバイス。
【請求項１４】
前記相関が前記予め定義されたスレショルドを上回る場合は前記肯定応答メッセージを前送信機に再送信するために実行可能な命令をさらに備える請求項１３に記載の無線デバイス。
【請求項１５】
前記相関が前記予め定義されたスレショルドを上回らない場合は、
前記第２のシンボルを復号する、
前記復号された第２のシンボルに対するデータ検査を行う、
前記復号された第２のシンボルが前記データ検査に合格した場合は第２の肯定応答メッセージを前記送信機に送信する、及び
前記復号された第２のシンボルが前記データ検査に合格しない場合は否定応答メッセージを送信する
ように実行可能な命令をさらに備える請求項１３に記載の無線デバイス。
【請求項１６】
抽出するために実行可能な前記命令は、前記第１の信号を復調及び復号するために実行可能な命令を備える請求項１１に記載の無線デバイス。
【請求項１７】
生成するために実行可能な前記命令は、前記復号された第１のデータをスクランブリングするために実行可能な命令をさらに備える請求項１１に記載の無線デバイス。
【請求項１８】
相関させるために実行可能な前記命令は、前記第３の信号の少なくとも一部を前記第２のシンボルの少なくとも一部と比較するために実行可能な命令を備える請求項１１に記載の無線デバイス。
【請求項１９】
前記無線デバイスは、アクセスポイントである請求項１１に記載の無線デバイス。
【請求項２０】
前記無線デバイスは、アクセス端末である請求項１１に記載の無線デバイス。
【請求項２１】
無線通信システムにおいて肯定応答メッセージを送信するための無線デバイスであって、
送信機から第２の信号を受信する前に第１の信号を受信するための手段と、
復号された第１のデータを前記第１の信号から抽出するための手段と、
前記復号された第１のデータを符号化及び変調することによって第３の信号を生成するための手段と、
前記第２の信号を復調して第２のシンボルを生成するための手段と、
前記第３の信号を前記第２のシンボルと相関させるための手段と、を備える、無線通信システムにおいて肯定応答メッセージを送信するための無線デバイス。
【請求項２２】
前記復号された第１のデータがデータ検査に合格した場合は肯定応答メッセージを前記送信機に送信するための手段をさらに備える請求項２１に記載の無線デバイス。
【請求項２３】
前記相関が予め定義されたスレショルドを上回るかどうかを決定するための手段をさらに備える請求項２２に記載の無線デバイス。
【請求項２４】
前記相関が前記予め定義されたスレショルドを上回る場合は前記肯定応答メッセージを前記送信機に再送信するための手段をさらに備える請求項２３に記載の無線デバイス。
【請求項２５】
前記相関が前記予め定義されたスレショルドを上回らない場合は、
前記第２のシンボルを復号するための手段と、
前記復号された第２のシンボルに対するデータ検査を行うための手段と、
前記復号された第２のシンボルが前記データ検査に合格した場合は第２の肯定応答メッセージを前記送信機に送信するための手段と、
前記復号された第２のシンボルが前記データ検査に合格しない場合は否定応答メッセージを送信するための手段と、をさらに備える請求項２３に記載の無線デバイス。
【請求項２６】
抽出するための前記手段は、前記第１の信号を復調及び復号するための手段を備える請求項２１に記載の無線デバイス。
【請求項２７】
生成するための前記手段は、前記復号された第１のデータをスクランブリングするための手段をさらに備える請求項２１に記載の無線デバイス。
【請求項２８】
相関させるための前記手段は、前記第３の信号の少なくとも一部を前記第２のシンボルの少なくとも一部と比較するための手段を備える請求項２１に記載の無線デバイス。
【請求項２９】
無線通信システムにおいて肯定応答メッセージを送信するためのコンピュータプログラム製品であって、
命令を有するコンピュータによって読み取り可能な媒体を備え、前記命令は、
送信機から第２の信号を受信する前に第１の信号を受信するための符号と、
復号された第１のデータを前記第１の信号から抽出するための符号と、
前記復号された第１のデータを符号化及び変調することによって第３の信号を生成するための符号と、
前記第２の信号を復調して第２のシンボルを生成するための符号と、
前記第３の信号を前記第２のシンボルと相関させるための符号と、を備える、無線通信システムにおいて肯定応答メッセージを送信するためのコンピュータプログラム製品。
【請求項３０】
前記復号された第１のデータがデータ検査に合格した場合は肯定応答メッセージを前記送信機に送信するための符号をさらに備える請求項２９に記載のコンピュータプログラム製品。
【請求項３１】
前記相関が予め定義されたスレショルドを上回るかどうかを決定するための符号をさらに備える請求項３０に記載のコンピュータプログラム製品。
【請求項３２】
前記相関が前記予め定義されたスレショルドを上回る場合は前記肯定応答メッセージを前送信機に再送信するための符号をさらに備える請求項３１に記載のコンピュータプログラム製品。
【請求項３３】
前記相関が前記予め定義されたスレショルドを上回らない場合は、
前記第２のシンボルを復号するための符号と、
前記復号された第２のシンボルに対するデータ検査を行うための符号と、
前記復号された第２のシンボルが前記データ検査に合格した場合は第２の肯定応答メッセージを前記送信機に送信するための符号と、
前記復号された第２のシンボルが前記データ検査に合格しない場合は否定応答メッセージを送信するための符号と、をさらに備える請求項３１に記載のコンピュータプログラム製品。
【請求項３４】
抽出するための前記符号は、前記第１の信号を復調及び復号するための符号を備える請求項２９に記載のコンピュータプログラム製品。
【請求項３５】
生成するための前記符号は、前記復号された第１のデータをスクランブリングするための符号をさらに備える請求項２９に記載のコンピュータプログラム製品。
【請求項３６】
相関させるための前記符号は、前記第３の信号の少なくとも一部を前記第２のシンボルの少なくとも一部と比較するための符号を備える請求項２９に記載のコンピュータプログラム製品。
【発明の詳細な説明】
【技術分野】
【０００１】
関連出願
本特許出願は、アルナバ・チョドゥリ、ヘマンス・サンパス、ラグＮ．チャラ、ラビ・パランキ及びスニル・クマル・カンデゥクリを発明者とする、“Method and System for ACK-to-NAK Detection”（ＡＣＫ−ＮＡＣＫの検出のための方法及びシステム）に関する米国仮特許出願一連番号第６１／０３９，７７８号（出願日：２００８年３月２６日）に関するものであり、該米国仮特許出願一連番号第６１／０３９，７７８号（出願日：２００８年３月２６日）からの優先権を主張するものである。
【０００２】
本開示は、概して、通信システムに関するものである。本開示は、より具体的には、無線通信システムにおいて肯定応答メッセージを送信することに関するものである。
【背景技術】
【０００３】
無線通信システムは、世界中の多くの人々が通信をするようになってきている重要な手段になっている。無線通信システムは、数多くのアクセス端末のために通信を提供することができ、これらのアクセス端末の各々に対しては、アクセスポイントによってサービスを提供することができる。
【０００４】
アクセス端末は、アップリンク及びダウンリンクにおける送信を介して１つ以上のアクセスポイントと通信することができる。アップリンク（又は逆方向リンク）は、アクセス端末からアクセスポイントへの通信リンクを意味し、ダウンリンク（又は順方向リンク）は、アクセスポイントからアクセス端末への通信リンクを意味する。
【０００５】
無線通信システムの資源（例えば、帯域幅及び送信電力）は、複数のアクセス端末間で共有することができる。様々な多元接続技法が知られており、符号分割多元接続（ＣＤＭＡ）と、時分割多元接続（ＴＤＭＡ）と、周波数分割多元接続（ＦＤＭＡ）と、直交周波数分割多元接続（ＯＦＤＭＡ）と、単一搬送波周波数分割多元接続（ＳＣ−ＦＤＭＡ）と、等を含む。
【発明の概要】
【０００６】
無線通信システムの動作に関連する改良された方法及び装置によって利益を実現することが可能である。
【図面の簡単な説明】
【０００７】
【図１】図１は、ここにおいて開示される方法を利用することができる無線通信システムを示したブロック図である。
【図２Ａ】図２Ａは、肯定応答メッセージを送信及び受信するためのシステムを示したシーケンス図である。
【図２Ｂ】図２Ｂは、肯定応答メッセージを送信及び受信するためのシステムを示した他のシーケンス図である。
【図３】図３は、ＡＣＫをＮＡＣＫと誤解するシステムを示したシーケンス図である。
【図４】図４は、無線通信システムにおいて肯定応答メッセージを送信するためのシステムを示したブロック図である。
【図５】図５は、無線通信システムにおいて肯定応答メッセージを送信するためのシステムを示した他のブロック図である。
【図６】図６は、無線通信システムにおいて肯定応答メッセージを送信するための方法を示した流れ図である。
【図６Ａ】図６Ａは、図６の方法に対応する手段プラス機能ブロックを示している。
【図７】図７は、無線通信システムにおいて肯定応答メッセージを受信するための方法を示した流れ図である。
【図７Ａ】図７Ａは、図７の方法に対応する手段及び機能ブロックを示している。
【図８】図８は、無線デバイス内に含めることができる一定の構成要素を示している。
【詳細な説明】
【０００８】
無線通信システムにおいて肯定応答メッセージを送信するための方法が開示される。第１の信号が、送信機から第２の信号を受信する前に、受信される。復号された第１のデータが第１の信号から抽出される。復号された第１のデータを符号化及び変調することによって第３の信号が生成される。第２の信号が復調されて第２のシンボルが生成される。第３の信号及び第２のシンボルが相関される。
【０００９】
復号された第１のデータがデータ検査に合格した場合は肯定応答メッセージを送信機に送信することもできる。相関が予め定義されたスレショルドを上回るかどうかを決定することもできる。相関が予め定義されたスレショルドを上回る場合は肯定応答メッセージを送信機に再送信することができる。
【００１０】
一構成においては、相関が予め定義されたスレショルドを上回らない場合は、第２のシンボルを復号することができ、復号された第２のシンボルに対してデータ検査を行うことができ、復号された第２のシンボルがデータ検査に合格した場合は第２の肯定応答メッセージを送信機に送信することができる。復号された第２のシンボルがデータ検査に合格しない場合は否定応答メッセージを送信することができる。
【００１１】
抽出することは、第１の信号を復調することと復号することとを含むことができる。生成することは、復号された第１のデータをスクランブリングすることを含むことができる。相関させることは、第３の信号の少なくとも一部を第２のシンボルの少なくとも一部と比較することを含むことができる。送信機は、アクセスポイント又はアクセス端末を含むことができる。
【００１２】
無線通信システムにおいて肯定応答メッセージを送信するための無線デバイスも開示される。無線デバイスは、プロセッサと、そのプロセッサと電子的に通信するメモリと、を含む。メモリには実行可能な命令が格納される。命令は、送信機から第２の信号を受信する前に第１の信号を受信するために実行可能である。命令は、復号された第１のデータを第１の信号から抽出するためにも実行可能である。命令は、復号された第１のデータを符号化及び変調することによって第３の信号を生成するためにも実行可能である。命令は、第２の信号を復調して第２のシンボルを生成するためも実行可能である。命令は、第３の信号を第２のシンボルと相関させるためにも実行可能である。
【００１３】
無線通信システムにおいて肯定応答メッセージを送信するための無線デバイスも開示される。無線デバイスは、送信機から第２の信号を受信する前に第１の信号を受信するための手段を含む。無線デバイスは、復号された第１のデータを第１の信号から抽出するための手段も含む。無線デバイスは、復号された第１のデータを符号化及び変調することによって第３の信号を生成するための手段も含む。無線デバイスは、第２の信号を復調して第２のシンボルを生成するための手段も含む。無線デバイスは、第３の信号を第２のシンボルと相関させるための手段も含む。
【００１４】
無線通信システムにおいて肯定応答メッセージを送信するためのコンピュータプログラム製品も開示される。コンピュータプログラム製品は、命令を有するコンピュータによって読み取り可能な媒体を備える。命令は、送信機から第２の信号を受信する前に第１の信号を受信するための符号を含む。命令は、復号された第１のデータを第１の信号から抽出するための符号も含む。命令は、復号された第１のデータを符号化及び変調することによって第３の信号を生成するための符号も含む。命令は、第２の信号を復調して第２のシンボルを生成するための符号も含む。命令は、第３の信号を第２のシンボルと相関させるための符号も含む。
【００１５】
図１は、ここにおいて開示される方法を利用することができる無線通信システム１００を示すブロック図である。無線通信システム１００は、各々が複数のアンテナグループを含むことができる１つ以上のアクセスポイント（ＡＰ）１０２を含むことができる。例えば、ＡＰ１０２は、２つのアンテナグループ、すなわち、第１のアンテナ１０６ａと第２のアンテナ１０６ｂとを含む第１のグループ１０６、及び第３のアンテナ１０８ａと第４のアンテナ１０８ｂとを含む第２のグループ１０８、を含むことができる。構成は、２つのアンテナを有する各アンテナグループを示すが、各アンテナグループにはそれよりも多い又は少ない数のアンテナを含めることができる。
【００１６】
無線通信システム１００は、第１のアンテナグループ１０６と通信する第１のアクセス端末（ＡＴ）１０４ａを含むこともでき、第１のアンテナ１０６ａ及び第２のアンテナ１０６ｂは、第１の順方向リンク１１０ａにおいて第１のアクセス端末１０４ａに情報を送信し及び第１の逆方向リンク１１２ａにおいて第１のアクセス端末１０４ａから情報を受信する。同様に、無線通信システム１００は、第２のアンテナグループ１０８と通信する第２のアクセス端末（ＡＴ）１０４ｂを含むこともでき、第３のアンテナ１０８ａ及び第４のアンテナ１０８ｂは、第２の順方向リンク１１０ｂにおいて第２のアクセス端末１０４ｂに情報を送信し及び第２の逆方向リンク１１２ｂにおいて第２のアクセス端末１０４ｂから情報を受信する。無線通信システム１００においては、順方向通信リンク１１０は、逆方向通信リンク１１２と異なる周波数を通信のために用いることができる。
【００１７】
システム１００は、データ送信の誤り制御のために自動再送要求（ＡＲＱ）又はハイブリッドＡＲＱ（ＨＡＲＱ）を用いることができる。ＡＰ１０２及びＡＴ１０４は、受信されたデータに基づいて一連の肯定応答信号（ＡＣＫ）又は否定応答信号（ＮＡＣＫ）を交換することができる。
【００１８】
アップリンク１１２データチャネルは、プライマリアップリンク共有チャネル（ＰＵＳＣＨ）と呼ぶことができ、ダウンリンク１１０における対応するＡＣＫは、プライマリＨＡＲＱインジケータチャネル（ＰＨＩＣＨ）と呼ぶことができる。さらに、ダウンリンク１１０におけるデータは、プライマリダウンリンク共有チャネル（ＰＤＳＣＨ）と呼ぶことができ、アップリンク１１２における対応するＡＣＫは、ＰＵＳＣＨ又はプライマリアップリンク制御チャネル（ＰＵＣＣＨ）において送信することができる。
【００１９】
ここにおいて用いられる場合において、用語“アクセス端末”は、無線通信システムにおける音声及び／又はデータ通信に関して用いることができる電子デバイスを意味する。アクセス端末１０４の例は、携帯電話と、パーソナルデジタルアシスタント（ＰＤＡ）と、ハンドヘルドデバイスと、無線モデムと、ラップトップコンピュータと、パーソナルコンピュータと、等を含む。アクセス端末１０４は、代替として、加入者局、モバイル端末、移動局、遠隔局、ユーザ端末、端末、加入者ユニット、モバイルデバイス、無線デバイス、ユーザ装置（ＵＥ）、又はその他の同様の用語で呼ぶことができる。用語“アクセスポイント”は、固定された場所に設置されてアクセス端末１０４と通信するために用いられる無線通信局を意味する。アクセスポイント１０２は、代替として、基地局、ノードＢ、エボルブド（ｅｖｏｌｖｅｄ）ノードＢ、ｅＮｏｄｅＢ、ｅＮＢ、又はその他の同様の用語で呼ぶことができる。さらに、用語“送信機”は、データを送信することが可能ないずれかの電子デバイスを意味することができ、及びＡＰ１０２又はＡＴ１０４のいずれかを意味することができる。
【００２０】
各アンテナグループ１０６、１０８及び／又はこれらのアンテナが通信するように設計されているエリアは、ＡＰ１０２のセクターとしばしば呼ばれる。例示される構成においては、アンテナグループ１０６、１０８は、セクター内のすべてのＡＴ１０４に対して通信するように設計することができる。換言すると、各アンテナグループ１０６、１０８は、地理上のエリア内のすべてのＡＴ１０４と通信するのを担当することができる。
【００２１】
順方向リンク１１０において通信するときには、送信アンテナは、ＡＴ１０４における信号対雑音比を向上させるためにビーム形成を利用することができる。さらに、ＡＰ１０２は、干渉を最小限に抑えるためにカバレッジ全体に無作為に散在するＡＴ１０４と通信するときにビーム形成を用いることができる。
【００２２】
無線通信システム１００は、２つ以上のＡＰ１０２と、２つのＡＴ１０４よりも多い又は少ない数のＡＴ１０４と、を含むことができるに注目すべきである。さらに、ＡＰ１０２は、あらゆる適切なチャネルアクセス法、例えば、周波数分割多元接続（ＦＤＭＡ）、符号分割多元接続（ＣＤＭＡ）、直交周波数分割多元接続（ＯＦＤＭＡ）、等を用いて通信することができる。
【００２３】
システム１００は、第３世代パートナーシッププロジェクト（３ＧＰＰ）に準じたロングタームエボリューション（ＬＴＥ）システムであることができる。従って、システム１００は、非同期ハイブリッドＡＲＱ（ＨＡＲＱ）をダウンリンク１１０において用いることができる。各再送信を割り当てることができる。これは、新たなパケットが開始しているかどうかをＡＴ１０４が承知していることができるためＡＣＫ及びＮＡＣＫの検出を有する必要性を低減させることができる。しかしながら、システム１００アップリンク１１２においては、同期ＨＡＲＱを用いることができる。従って、本システム及び方法は、ＡＰ１０２において有益であることができる。従って、本システム及び方法は、ＡＴ１０４と関係させて説明されるが、ＡＰ１０２において用いることができる。
【００２４】
図２Ａは、肯定応答メッセージを送信及び受信するためのシステムを示したシーケンス図２００ａである。システムは、１つ以上のアクセスポイント２０２ａと、１つ以上のアクセス端末２０４ａとを含むことができ、及びデータ送信の誤り制御のために自動再送要求（ＡＲＱ）又はハイブリッドＡＲＱ（ＨＡＲＱ）を用いることができる。ＡＰ２０２ａは、第１のデータ２２８、例えば第１のパケット、をＡＴ２０４ａに送信することができる。成功裏に受信された場合は、ＡＴ２０４ａは、肯定応答メッセージ（ＡＣＫ）２３０をＡＰ２０２ａに送信することによって応答することができる。ＡＣＫ２３０は、ＡＴ２０４ａによってＡＰ２０２ａに送信された、ＡＴ２０４ａが第１のデータ２２８を成功裏に受信したことを示すメッセージであることができる。ＡＣＫ２３０がＡＰ２０２ａによって正確に解釈された場合は、ＡＰ２０２ａは、第２のデータ２３２、例えば第２のパケット、をＡＴ２０４ａに送信することができる。ＡＴ２０４ａが第２のデータ２３２を成功裏に受信した場合は、ＡＴ２０４ａは、他のＡＣＫ２３４をＡＰ２０２ａに送信することができる。このプロセスは、ＡＰ２０２ａからＡＴ２０４ａへのすべての成功裏のデータ送信、例えばパケット送信、に関して繰り返すことができる。
【００２５】
図２Ｂは、肯定応答メッセージを送信及び受信するためのシステムを示した他のシーケンス図２００ｂである。システムは、データ送信の誤り制御のためにＡＲＱ又はＨＡＲＱを用いることもできる。上述されるように、ＡＰ２０２ｂは、第１のデータ２３６、例えば第１のパケット、をＡＴ２０４ｂに送信することができる。しかしながら、ＡＴ２０４ｂは、第１のデータ２３６を成功裏に受信できないことがある。そのような場合においては、ＡＴ２０４ｂは、否定応答メッセージ（ＮＡＣＫ）２３８をＡＰ２０２ｂに送信することによって応答することができる。ＮＡＣＫ２３８は、ＡＴ２０４ａによってＡＰ２０２ｂに送信された、ＡＴ２０４ｂが第１のデータ２３６を成功裏に受信しなかったことを示すメッセージであることができる。ＮＡＣＫ２３８を受信した時点で、ＡＰ２０２ｂは、第１のデータ２４０をＡＴ２０４ｂに再送信することができる。代替として、システムがＨＡＲＱを使用する場合は、ＡＰ２０２ｂは、第１のデータ２３６に含まれる同じデータパケットの次の増分（ｎｅｘｔ  ｉｎｃｒｅｍｅｎｔ）を送信することができる。第１のデータ２４０は、予め決められた回数だけ又はＡＣＫ２３０が送信中の第１のデータ２３６に応答して受信されるまで再送信することができる。
【００２６】
しかしながら、動作において、図２Ａ及び２Ｂのシステムは、問題に直面する可能性がある。具体的には、ＡＴ２０４ａによって送信されたＡＣＫ２３０がＡＰ２０２ａにおいて誤ってＮＡＣＫ２３８として復号された場合は、ＡＰ２０２ａは、同じ第１のデータパケット２２８を再送信することができる。ＨＡＲＱの場合は、ＡＰ２０２ａは、同じデータパケットの次の増分を送信することができる。換言すると、ＡＰ２０２ａは、第１のデータ２２８が最初にＡＴ２０４ａによって正確に受信された場合でも、第１のデータ２２８を誤って再送信することが時々ある。これは、ネットワーク資源の浪費になるおそれがある。本システム及び方法は、ＡＴ２０４ａにおいてこの問題を検出し、ＡＣＫ２３０にかかわらず第１のデータ２２８が再送信された場合はＡＣＫ２３０を再送信することができる。ここにおいて示される幾つかの構成においては、ＡＣＫ２３０は、短縮された時間で送信することができる。第１のデータ２２８が誤って再送信された場合は、ＡＴ２０４ａは、これを素早く認識し、再送信された第１のデータ２２８に関して最小限の処理を行うことでＡＣＫ２３０を再送信することができる。これは、ＡＣＫ２３０を素早く再送信して第２のデータ２３２を送信できるようにすることで、デバイス及びネットワークの効率を向上させること、及びユーザ体験を向上させることができる。
【００２７】
図３は、ＡＣＫ３４４をＮＡＣＫと誤解するシステムを示したシーケンス図３００である。ＡＰ３０２は、第１のデータ３４２をＡＴ３０４に送信することができる。成功裏に受信された場合は、ＡＴ３０４は、ＡＣＫ３４４をＡＰ３０２に送信することによって応答することができる。しかしながら、ＡＰ３０２は、ＡＴ３０４からＡＰ３０２への信号の劣化又はその他の崩壊に起因して、又は幾つかのその他の原因で、ＡＣＫ３４４をＮＡＣＫとして誤って解釈する可能性がある。ＡＰ３０２は、認識されたＮＡＣＫに基づき、第１のデータ３４６を再送信してＡＴ３０４に戻すことができる。代替として、ＨＡＲＱの場合は、ＡＰ３０２は、同じデータパケットの次の増分を送信することができる。この偽りのＮＡＣＫ誤りの交換は、継続されてＡＰ３０２及びＡＴ３０４の両方を立ち往生させる（deadlock）可能性がある。
【００２８】
図４は、無線通信システムにおいて肯定応答メッセージを送信するためのシステム４００を示すブロック図である。図４の最上部のシーケンス図は、図３のシーケンス図３００と同様であることができ、すなわち、ＡＰ４０２は、第１のデータ４４２を送信し、ＡＣＫ４４４をＮＡＣＫであると誤って解釈し、第１のデータ４４６を再送信する。図４においては、ＡＰ４０２から信号を受信し、ＡＣＫ又はＮＡＣＫをＡＰ４０２に戻すＡＴ４０４が示される。しかしながら、本システム及び方法は、ＡＰ４０２がＡＴ４０４から信号を受信し及びＡＣＫ又はＮＡＣＫをＡＴ４０４に戻すときにも同じく適用可能である。
【００２９】
図４の最下部におけるブロック図は、受信されたデータに対してＡＴ４０４によって行われる処理を示す。ＡＴ４０４は、第１のデータ４４２を第１の信号４４８として受信することができる。第１の信号４４８は、復調器４５６と、復号器４６０と、巡回冗長検査（ＣＲＣ）モジュール４６４と、を含むことができる受信経路４５２によって処理することができる。第１の信号４４８は、復調器４５６によって第１のシンボル４５４に復調することができる。復調器４５６は、あらゆる適切な技法を用いることができ、該技法は、第１の信号４４８を変調するために用いられた技法、例えば、直交振幅変調（ＱＡＭ）、四位相偏移変調（ＱＰＳＫ）等、に対応することができる。第１のシンボル４５４は、復号器４６０によって復号して復号された第１のデータ４５８にすることができる。復号器４６０は、あらゆる適切な技法を用いることができ、該技法は、第１の信号４４８を符号化するために用いられた技法、例えば、ターボ符号、ビテルビ符号、等、に対応することができる。復号された第１のデータ４５８は、ＣＲＣモジュール４６４によって検査し、受信された第１の信号４４８内に何らかの誤りが存在するかどうかを決定することができる。誤りが存在しない場合は、ＡＴ４０４は、ＡＣＫ４４４をＡＰ４０２に送信することができる。誤りが存在する場合は、ＡＴ４０４は、ＮＡＣＫをＡＰ４０２に送信することができる。受信経路４５２において行われる処理は、ＡＰ２０２からの受信された信号に共通することができる。換言すると、すべての受信されたパケットを復調し４５６、復号し４６０、及びＡＴ４０４によって用いることが可能かどうかをＣＲＣモジュール４６４によって検査することができる。
【００３０】
ここにおいてはＣＲＣ検査を行うことに言及されているが、データが変化しているか又は変更されているかどうかを決定するためのその他のデータ検査手段を用いることができる。用語データ検査は、ここにおいては、ＣＲＣ検査又はデータ／信号の完全性を検査するためのその他の方法を意味するために用いられるより一般的な用語であることができる。データ／信号の完全性を検査するために用いることができるその他の手段は、パリティ符号又はその他のブロック符号を用いることを含むが、それに限定されない。
【００３１】
復号されたデータ４５８は、符号器４７０と、データスクランブラ４７４と、変調器４７８、とを含む送信経路４６６によって処理することができる。送信経路４６６において行われる処理は、通常は、受信されたデータには適用することができないが、本システム及び方法においては、復号された第１のデータ４５８をその他の受信されたデータと有効に相関させることが可能な状態に変換するために適用することができる。換言すると、第１の信号４４８は、第２の信号４５０がＡＴ４０４によって受信されるまでに受信経路４５２によって処理して復号されたデータ４５８にすることができる。従って、第１の信号４４８は、第２の信号４５０がＡＴ４０４に到着したときには第２の信号４５０との相関のための適切な形で入手できないことがある。従って、ＡＣＫ４４４又はＮＡＣＫをＡＰ４０２に送信する前に第２の信号４５０を第１の信号４４８の再送信として又は新しく送信される信号として完全に処理する（すなわち、復調、復号、及びＣＲＣ検査する）のではなく、ＡＴ４０４は、復号された第１のデータ４５８を送信経路４６６を通じて送信して第３の信号４７６を生成することができる。換言すると、本システム及び方法は、ＡＴ４０４が第２の信号４５０を完全に処理しなければならないのを防止することができ、第２の信号４５０を完全に処理しなければならないことは、受信機（例えばＡＴ４０４）による処理負荷を２倍にする可能性がある。ＡＴ４０４は、第２の信号４５０を第２のシンボル４８０に復調し、第３の信号４７６を第２のシンボル４８０と相関させることができる。復号されたデータ４５８から第３の信号４７６を生成するために、符号器４７０は、復号されたデータを符号化して第１のシンボル４６８にすることができる。データスクランブラ４７４は、第１のシンボル４６８をスクランブリングしてスクランブリングされた第１のシンボル４７２にすることができ、変調器４７８は、スクランブリングされた第１のシンボル４７２を変調して第３の信号４７６にすることができる。代替として、第１のシンボル４６８は、スクランブリングすることができず、代わりに符号化直後に変調することができる。送信経路４６６による処理は、第２のシンボル４８０が復号器４６０によって２回復号されるのを待つよりも高速でかつ低プロセッサ集約性とすることができる。
【００３２】
第３の信号４７６及び第２のシンボル４８０は、相関モジュール４８２に入力することができる。相関モジュール４８２は、第３の信号４７６及び第２のシンボル４８０の類似性を決定するためにあらゆる適切な技法を用いることができる。換言すると、相関モジュール４８２は、第３の信号４７６を第２のシンボル４８０と相関させることによって第１の信号４４８が第２の信号４５０と同じであるかどうかを決定するのを試みることができる。第３の信号４７６は、第１の信号４４８の複製であることができる。これらの信号が同じである場合は、これは、ＡＰ４０２がＡＣＫ４４４を正確に受信していないこと、及び第１の信号４４８は同一であって既に処理されているため第２の信号４５０を復号する必要がないことを示すことができる。従って、第３の信号４７６及び第２のシンボル４８０を相関させることによって、ＡＴ４０４は、第２の信号４５０を不必要に復号するのを回避することができ、このことは、ＡＴ４０４におけるバッテリ電力、処理時間、その他の資源を節約することができる。相関モジュール４８２は、限られた数のシンボルのみを採用することができ、例えば、より多くの処理を用いることになるような第１のＮのタイル内のシンボルを相関させるのとは対照的に、第３の信号４７６内の最初のＮのシンボルを第２のシンボル４８０内の最初のＮのシンボルと相関させることができる。さらに、第３の信号４７６を第２のシンボル４８０と相関させること、すなわち変調レベル相関、は、その他のタイプの相関、例えば、対数尤度比（ＬＬＲ）レベル相関、よりも少ない処理を用いることができる。
【００３３】
第１の信号４４８は第２の信号４５０と同じでないと相関モジュール４８２が決定した場合は、第２のシンボル４８０は、復号器４６０によって復号してＣＲＣモジュール４６４によって検査することができる。換言すると、（第３の信号４７６を第２のシンボル４８０と相関させることによって決定された結果として）第１の信号４４８が第２の信号４５０と同じでない場合は、ＡＰ４０２は、ＡＣＫ４４４を正確に受信し、旧データを再送信するのではなく新しいデータを送信していることができる。従って、ＡＴ４０２は、ＡＴ４０２において用いるために（例えば、スピーカーでの再生、画面上での表示、等）第２のシンボル４８０を処理することができる。
【００３４】
図５は、無線通信システムにおいて肯定応答メッセージを送信するためのシステム５００を示す他のブロック図である。システム５００は、ＡＴ５０４と、ＡＰ５０２と、を含むことができる。図５においては、ＡＴ５０４がＡＰ５０２から信号を受信し、ＡＣＫ又はＮＡＣＫをＡＰ５０２に戻すことが示される。しかしながら、本システム及び方法は、ＡＰ５０２がＡＴ５０４から信号を受信し及びＡＣＫ又はＮＡＣＫをＡＴ５０４に戻すときにも同じに適用可能である。
【００３５】
ＡＴ５０４は、ＡＰ５０２と通信することができ、そして、ＡＲＱ又はＨＡＲＱをデータ送信の誤り制御のために用いることができる。ＡＴ５０４は、ＡＰ５０２からのデータを受信された形で表すことができる第１の信号５８４を含むことができる。換言すると、第１の信号５８４は、ＡＴ５０４によるあらゆる処理前に受信された状態のデータであることができる。第２の信号５８６は、ＡＰ５０２からの直近に受信されたデータ、すなわち第１の信号５８４の後に受信されたデータであることができる。第２の信号５８６がＡＴ５０４によって受信されるまでに、第１の信号５８４は、受信経路５５２ａによって、すなわち、復調器５５６ａ、復号器５６０ａ、及びＣＲＣモジュール５６４ａを用いて、復号された第１のデータ５８５に変換されていることがある。従って、相関モジュール５８２を用いて第１の信号５８４及び第２の信号５８６を直接相関させるのは可能でない場合がある。
【００３６】
代わりに、ＡＴ５０４は、送信経路５６６ａを用いて復号された第１のデータ５８５を処理することができる。具体的には、符号器５７０ａは、データ５８５を符号化してシンボルにすることでき、データスクランブラ５７４ａは、これらのシンボルをスクランブリングすることができ、変調器５７８ａは、スクランブリングされた信号を変調し、相関モジュール５８２によって用いることができる第３の信号５８７を提供することができる。第３の信号５８７は、受信経路５５２ａ及び送信経路５６６ａによって処理される前は第１の信号５８４と類似していることができる。さらに、第２の信号５８６は、復調器５５６ａによって復調し、相関モジュール５８２によって用いることができる第２のシンボル５８０を生成することができる。第３の信号５８７と第２のシンボル５８０との間の相関に基づき、相関モジュールは、ＡＣＫ又はＮＡＣＫを送信することができる。より具体的には、第３の信号５８７が第２のシンボル５８０と高度に相関している場合は、これは、第１の信号５８４は第２の信号５８６と同じであることを示すことができる。ＡＴ５０４は第１の信号５８４を既に受信してＣＲＣモジュール５６４ａによって検証済みであるため、ＡＴ５０４は、復号することなしに及びＣＲＣ検査をすることなしに第２の信号５８６のためのＡＣＫを送信することができる。これは、ＡＴ５０４における資源を節約することができ、ＡＣＫ又はＮＡＣＫを送信する前に受信経路５５２ａにおいて第２の信号５８６を完全に処理するより高速であることができる。しかしながら、十分な相関が存在しない場合は、第２のシンボル５８０は、ＡＣＫ又はＮＡＣＫがＡＰ５０２に送信される前にさらに復号すること及びＣＲＣ検査することができる。
【００３７】
ＡＴ５０２は、復調器５５６ｂと、復号器５６０ｂと、ＣＲＣモジュール５６４ｂとを含む受信経路５５２ｂを含むこともできる。さらに、ＡＰ５０２は、符号器５７０ｂと、データスクランブラ５７４ｂと、変調器５７８ｂとを含む送信経路５６６ｂを含むこともできる。さらに、ＡＰ５０２は、受信されたＡＣＫ又はＮＡＣＫ５９０を処理することができるＡＣＫ／ＮＡＣＫモジュール５８８を含むこともできる。受信されたＡＣＫ又はＮＡＣＫ５９０に基づき、ＡＣＫ／ＮＡＣＫモジュール５８８は、パケット５９２を再送信することができ又は他のパケット５９２を送信することができる。換言すると、ＮＡＣＫが受信された場合は、ＡＰ５０２は、送信経路５６６ｂを用いて、ＡＴ５０４において既に送信及び受信されたパケット５９２を再送信することができる。ＨＡＲＱの場合は、ＡＣＫ／ＮＡＣＫモジュール５８８は、ＮＡＣＫに応答して同じパケット５９２の次の増分を送信することができる。ＡＣＫが受信された場合は、異なるパケット５９２を送信経路５６６ｂによって処理してＡＴ５０４に送信することができる。
【００３８】
図６は、無線通信システムにおいて肯定応答メッセージを送信するための方法６００を示す流れ図である。方法６００は、送信機（例えば、ＡＴ５０４又はＡＰ５０２）から信号を受信する無線デバイス（例えば、ＡＴ５０４又はＡＰ５０２）において実行することができる。換言すると、方法６００は、ＡＴ５０４がＡＰ５０２から信号を受信時にはＡＴ５０４において用いることができ及び／又はＡＰ５０２がＡＴ５０４から信号を受信時にはＡＰ５０２において用いることができる。無線デバイスは、第１の信号５８４を送信機から受信する６０２ことができる。無線デバイスは、第１の信号５８４を復調及び復号することによって復号された第１のデータ５８５を第１の信号５８４から抽出する６０４こともできる。無線デバイスは、復号された第１のデータ５８５が巡回冗長検査に合格した場合はＡＣＫを送信機に送信する６０６ことができる。より一般的には、無線デバイスは、復号された第１のデータ５８５がデータ検査に合格した場合はＡＣＫを送信機に送信する６０６ことができる。
【００３９】
無線デバイスは、復号された第１のデータ５８５を符号化、スクランブリング、及び変調６０８して第３の信号５８７を提供することができる。無線デバイスは、第１の信号５８４の後に無線デバイスによって受信された第２の信号５８６を復調６１０して第２のシンボル５８０を提供することも可能である。次に、無線デバイスは、第３の信号５８７を第２のシンボル５８０と相関させる６１２ことができる。相関が予め定義されたスレショルド（例えば０．８又は０．９）を上回る６１４場合は、無線デバイスは、ＡＣＫを送信機に再送信する６１６ことができる。相関が予め定義されたスレショルドを上回らない６１４場合は、無線デバイスは、第２のシンボル５８０を復号する６１８ことができる。予め定義されたスレショルドは、システム条件、ネットワーク状態、等に従って、設定することができる。さらに、それは、ＡＴ５０４及び／又はＡＰ５０２によって動的に調整することが可能である。
【００４０】
無線デバイスは、復号された第２のシンボル５８０に対するＣＲＣ検査を行う６２０ことも可能である。復号された第２のシンボル５８０がＣＲＣ検査に合格した場合は、無線デバイスは、ＡＣＫを送信機に送信する６２２ことができる。復号された第２のシンボル５８０がＣＲＣ検査に合格しない場合は、無線デバイスは、ＮＡＣＫを送信機に送信する６２２ことができる。
【００４１】
上述された図６の方法６００は、図６Ａにおいて示される手段及び機能ブロック６００Ａに対応する様々なハードウェア及び／又はソフトウェア構成要素及び／又はモジュールによって実行することができる。換言すると、図６に示されるブロック６０２乃至６２２は、図６Ａに示される手段及び機能ブロック６０２Ａ乃至６２２Ａに対応する。
【００４２】
図７は、無線通信システムにおいて肯定応答メッセージを受信するための方法７００を示す流れ図である。方法７００は、ＡＰ５０２によって実行することができる。ＡＰ５０２は、第１の信号５８４として受信することができる第１のパケット５９２をＡＴ５０４に送信する７２４ことができる。ＡＰ５０２は、ＡＣＫ又はＮＡＣＫをＡＴ５０４から受信する７２６こともできる。ＡＰ５０２は、メッセージのタイプを決定する７２８ことができる。メッセージがＮＡＣＫである場合は、ＡＰ５０４は、第１のパケット５９２をＡＴ５０４に再送信する７３０ことができる。ＨＡＲＱである場合は、ＡＰ５０２は、ＮＡＣＫに応答して第１のパケット５９２の次の増分を送信することができる。メッセージがＡＣＫである場合は、ＡＰ５０４は、再送信７３０ステップを飛び越し、送信すべきパケット５９２がさらに存在するかどうかを決定する７３２ことができる。
【００４３】
上述された図７の方法７００は、図７において示される手段及び機能ブロック７００Ａに対応する様々なハードウェア及び／又はソフトウェア構成要素及び／又はモジュールによって実行することができる。換言すると、図７に示されるブロック７２４乃至７３２は、図７Ａに示される手段及び機能ブロック７２４乃至７３２Ａに対応する。
【００４４】
図８は、無線デバイス８０１に含めることができる一定の構成要素を示す。無線デバイス８０１は、ＡＴ１０４（加入者局）又はＡＰ１０２（基地局）の１つの構成であることができる。
【００４５】
無線デバイス８０１は、プロセッサ８０３を含む。プロセッサ８０３は、汎用の単一チップ又は多チップマイクロプロセッサ（例えばＡＲＭ）、専用マイクロプロセッサ（例えば、デジタル信号プロセッサ（ＤＳＰ））、マイクロコントローラ、プログラマブルゲートアレイ、等であることができる。プロセッサ８０３は、中央処理装置（ＣＰＵ）と呼ぶことができる。図８の無線デバイス８０１においては単一のプロセッサ８０３のみが示されているが、代替構成においては、プロセッサ（例えば、ＡＲＭ及びＤＳＰ）の組み合わせを使用可能である。
【００４６】
無線デバイス８０１は、メモリ８０５も含むことができる。メモリ８０５は、電子情報を格納することが可能な電子構成要素であることができる。メモリ８０５は、ランダムアクセスメモリ（ＲＡＭ）、読み取り専用メモリ（ＲＯＭ）、磁気ディスク記憶媒体、光学記憶媒体、ＲＡＭ内のフラッシュメモリ素子、プロセッサとともに含まれる搭載メモリ、ＥＰＲＯＭメモリ、ＥＥＰＲＯＭメモリ、レジスタ、等として具現化することができ、その組み合わせを含む。
【００４７】
データ８０７及び命令８０９は、メモリ８０５に格納することができる。命令８０９は、ここにおいて開示されるシステム及び方法を実装するためにプロセッサ８０３によって実行可能である。命令８０９をプロセッサ８０３によって実行することは、データ８０７ａ及び命令８０９ａの一部をプロセッサ８０３にローディングすることを含むことができる。
【００４８】
無線デバイス８０１は、無線デバイス８０１と遠隔場所との間における信号の送信及び受信を可能にするための送信機８１１と受信機８１３とを含むことも可能である。送信機８１１及び受信機８１３は、総称してトランシーバ８１５と呼ぶことができる。トランシーバ８１５にはアンテナ８１７を電気的に結合することができる。無線デバイス８０１は、（示されていない）複数の送信機、複数の受信機、複数のトランシーバ及び／又は複数のアンテナを含むことも可能である。
【００４９】
無線デバイス８０１の様々な構成要素は、１つ以上のバスによってまとめて結合することができ、１つ以上のバスは、電力バスと、制御信号バスと、状態信号バスと、データバスと、等を含むことができる。説明を明確化するために、様々なバスは、図８においてはバスシステム８１９として示される。
【００５０】
ここにおいて説明される技法は、直交多重化方式に基づく通信システムを含む様々な通信システムに関して用いることができる。該通信システムの例は、直交周波数分割多元接続（ＯＦＤＭＡ）システムと、単一搬送波周波数分割多元接続（ＳＣ−ＦＤＭＡ）システムと、等を含む。ＯＦＤＭＡシステムは、全体的なシステム帯域幅を複数の直交副搬送波に分割する変調技法である直交周波数分割多重（ＯＦＤＭ）を利用する。これらの副搬送波は、トーン、ビン、等と呼ぶことができる。ＯＦＤＭの場合は、各副搬送波は、データとともに独立して変調することができる。ＳＣ−ＦＤＭＡシステムは、システム帯域幅全体に分散された副搬送波において送信するためにインターリービングされたＦＤＭＡ（ＩＦＤＭＡ）を利用すること、隣接する副搬送波のブロックにおいて送信するために局在化されたＦＤＭＡ（ＬＦＤＭＡ）を利用すること、又は隣接する副搬送波の複数のブロックにおいて送信するためにエンハンストＦＤＭＡ（ＥＦＤＭＡ）を利用することができる。概して、変調シンボルは、ＯＦＤＭＡでは周波数領域において、ＳＣ−ＦＤＭＡでは時間領域において送信される。
【００５１】
上記の説明において、様々な用語と関係させて参照数字が時々用いられている。用語が参照数字と関係させて用いられる場合は、１つ以上の図において示される特定の要素を指すことを意味する。用語が参照数字なしで用いられる場合は、特定の図に限定することなしにその用語を一般的に指すことを意味する。
【００５２】
表現“決定すること”は、非常に様々な行動を包含し、従って、“決定すること”は、算出すること、計算すること、処理すること、導き出すこと、調査すること、検索すること（例えば、テーブル、データベース又は他のデータ構造において検索すること）、確認すること、等を含むことができる。さらに、“決定すること”は、受信すること（例えば情報を受信すること）、アクセスすること（例えばメモリ内のデータにアクセスすること）、等を含むことができる。さらに、“決定すること”は、解決すること、選択すること、選ぶこと、確立すること、等を含むことができる。
【００５３】
“に基づく”という表現は、別の意味であることが明示されない限り、“のみに基づく”という意味ではない。換言すると、“に基づく”という表現は、“のみに基づく”及び“少なくとも〜に基づく”の両方を表す。
【００５４】
用語“プロセッサ”は、汎用プロセッサ、中央処理装置（ＣＰＵ）、マイクロプロセッサ、デジタル信号プロセッサ（ＤＳＰ）、コントローラ、マイクロコントローラ、ステートマシン、等を包含するように広義で解釈すべきである。幾つかの事情においては、“プロセッサ”は、特定用途向け集積回路（ＡＳＩＣ）、プログラマブルロジックデバイス（ＰＬＤ）、フィールドプログラマブルゲートアレイ（ＦＰＧＡ）、等を意味することができる。用語“プロセッサ”は、処理デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装することもできる。
【００５５】
用語“メモリ”は、電子情報を格納することが可能ないずれの電子構成要素も包含するように広義に解釈すべきである。用語メモリは、様々なタイプのプロセッサによって読み取り可能な媒体、例えば、ランダムアクセスメモリ（ＲＡＭ）、読み取り専用メモリ（ＲＯＭ）、非揮発性ランダムアクセスメモリ（ＮＶＲＡＭ）、プログラマブル読み取り専用メモリ（ＰＲＯＭ）、消去可能プログラマブル読み取り専用メモリ（ＥＰＲＯＭ）、電気的消去可能ＰＲＯＭ（ＥＥＰＲＯＭ）、フラッシュメモリ、磁気又は光学データストレージ、レジスタ、等、を意味することができる。メモリは、プロセッサがメモリから情報を読み出すこと及び／又はメモリに情報を書き込むことができる場合にそのプロセッサと電子的に通信すると言われる。プロセッサと一体式のメモリは、そのプロセッサと電子的に通信する。
【００５６】
用語“命令”及び“符号”は、あらゆるタイプのコンピュータによって読み取り可能なステートメントを含むように広義で解釈すべきである。例えば、用語“命令”及び“符号”は、１つ以上のプログラム、ルーチン、サブルーチン、関数、手順、等を意味することができる。“命令”及び“符号”は、単一のコンピュータによって読み取り可能なステートメント又は数多くのコンピュータによって読み取り可能なステートメントを備えることができる。
【００５７】
ここにおいて説明される機能は、ハードウェア、ソフトウェア、ファームウェア、又はその組み合わせにおいて実装することができる。ソフトウェアにおいて実装される場合は、これらの機能は、コンピュータによって読み取り可能な媒体において１つ以上の命令として格納することができる。用語“コンピュータによって読み取り可能な媒体”又は“コンピュータプログラム製品”は、コンピュータ又はプロセッサによってアクセス可能なあらゆる利用可能な媒体を意味する。一例として、及び制限することなしに、コンピュータによって読み取り可能な媒体は、ＲＡＭ、ＲＯＭ、ＥＥＰＲＯＭ、ＣＤ−ＲＯＭ又はその他の光学ディスク記憶ストレージ、磁気ディスク記憶ストレージ又はその他の磁気記憶装置、又はコンピュータによってアクセス可能な命令又はデータ構造の形態で希望されるプログラムコードを搬送又は格納するために用いることができるその他の媒体、を備えることができる。ここにおいて用いられるときのディスク（ｄｉｓｋ及びｄｉｓｃ）は、コンパクトディスク（ＣＤ）（ｄｉｓｃ）と、レーザーディスク（登録商標）（（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（登録商標）（ｄｉｓｃ）と、を含み、ここで、ｄｉｓｋは通常はデータを磁気的に複製し、ｄｉｓｃは、レーザーを用いて光学的にデータを複製する。
【００５８】
ソフトウェア又は命令は、送信媒体において送信することも可能である。例えば、ソフトウェアが、同軸ケーブル、光ファイバーケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバーケーブル、より対線、ＤＳＬ、又は無線技術、例えば赤外線、無線、及びマイクロ波、は、送信媒体の定義の中に含まれる。
【００５９】
ここにおいて説明される方法は、説明される方法を達成させるための１つ以上のステップ又は行動を備える。方法上のステップ及び／又は行動は、請求項の適用範囲を逸脱することなしに互いに交換することができる。換言すると、説明されている方法の適切な動作のために特定の順序のステップ又は行動が要求されない限り、特定のステップ及び／又は行動の順序及び／又は使用は、請求項の適用範囲を逸脱することなしに変更することができる。
【００６０】
さらに、例えば図６及び７によって示されるような、ここにおいて説明される方法及び技法を実行するためのモジュール及び／又はその他の適切な手段をデバイスによってダウンロードすること及び／又はその他の形で入手することができる。例えば、デバイスは、ここにおいて説明される方法を実行するための手段の転送を容易にするためにサーバに結合することができる。代替として、ここにおいて説明される様々な方法は、記憶手段（例えば、ランダムアクセスメモリ（ＲＡＭ）、読み取り専用メモリ（ＲＯＭ）、物理的記憶媒体、例えばコンパクトディスク（ＣＤ）又はフロッピー（登録商標）ディスク、等）を介して提供することができ、このため、デバイスは、これらの記憶手段をデバイスに結合次第又は提供次第様々な方法を入手することができる。さらに、ここにおいて説明される方法及び技法をデバイスに提供するためのその他の適切な技法を利用することが可能である。
【００６１】
請求項は、上述される正確な構成及び構成要素に限定されないことが理解されるべきである。ここにおいて説明されるシステム、方法、及び装置の配置、動作及び詳細は、請求項の適用範囲を逸脱することなしに様々な修正、変更及び変形を行うことが可能である。
【図１】
2014131302.tif 000003
【図２Ａ】
2014131302.tif 000004
【図２Ｂ】
2014131302.tif 000005
【図３】
2014131302.tif 000006
【図４】
2014131302.tif 000007
【図５】
2014131302.tif 000008
【図６】
2014131302.tif 000009
【図６Ａ】
2014131302.tif 000010
【図７】
2014131302.tif 000011
【図７Ａ】
2014131302.tif 000012
【図８】
2014131302.tif 000013
【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
無線通信システムにおいて肯定応答メッセージを送信するための方法であって、
送信機から第２の信号を受信する前に第１の信号を受信することと、
復号された第１のデータを前記第１の信号から抽出することと、
前記復号された第１のデータを符号化及び変調することによって第３の信号を生成することと、
前記第２の信号を復調して第２のシンボルを生成することと、
前記第３の信号を前記第２のシンボルと相関させること、とを備える、無線通信システムにおいて肯定応答メッセージを送信するための方法。
【外国語明細書】
2014131302000001.pdf